(57)【要約】【課題】各光源から出射された光ビームを対応する対物レンズに垂直に入射させることができる、光ピックアップの製造方法を実現する。【解決手段】光源部の第１の光源より出射された光ビームが、レンズ部に固定された第１の対物レンズに垂直に入射するよう、レンズ部の傾斜を調整する工程Ｓ１１０と、光源部の第２の光源より出射された光ビームが、レンズ部に傾斜可能に取り付けられている第２の対物レンズに垂直に入射するよう、第２の対物レンズの傾斜を調整する工程Ｓ１２０とにより、各光源から出射された光ビームを対応する対物レンズに垂直に入射させるよう、第２の対物レンズの傾斜を調整する。【選択図】図１
2009037677.tif 000002
【特許請求の範囲】
【請求項１】
第１および第２の光源を備えた光源部と、上記光源の各々から出射された光ビームを集光する第１および第２の対物レンズを備えたレンズ部とを一体化して得られる光ピックアップの製造方法であって、
上記第１の光源より出射された光ビームが、上記レンズ部に固定された上記第１の対物レンズに垂直に入射するよう、上記光源部とは別体で傾斜可能に保持されている上記レンズ部の傾斜を調整する第１の傾斜調整工程と、
上記第１の傾斜調整工程の後、上記第２の光源より出射された光ビームが、上記レンズ部に傾斜可能に取り付けられている上記第２の対物レンズに垂直に入射するよう、上記第２の対物レンズの傾斜を調整する第２の傾斜調整工程と、を含んでいる、
ことを特徴とする、光ピックアップの製造方法。
【請求項２】
上記第１の傾斜調整工程は、上記第１の光源より出射された光ビームを上記第１の対物レンズにより集光することにより得られる集光スポットを顕微鏡によって観測し、該集光スポットにおけるコマ収差を最小化するよう上記レンズ部の傾斜を調整する工程である、
ことを特徴とする、請求項１に記載の光ピックアップの製造方法。
【請求項３】
上記第２の傾斜調整工程は、上記第２の光源より出射された光ビームを上記第２の対物レンズにより集光することにより得られる集光スポットを顕微鏡によって観測し、該集光スポットにおけるコマ収差を最小化するよう上記第２の対物レンズの傾斜を調整する工程である、
ことを特徴とする、請求項１または２に記載の光ピックアップの製造方法。
【請求項４】
上記第２の傾斜調整工程は、上記第２の対物レンズの傾斜をオートコリメータによって計測し、計測結果に応じて上記第２の対物レンズの傾斜を調整する工程である、
ことを特徴とする、請求項１または２に記載の光ピックアップの製造方法。
【請求項５】
上記第２の傾斜調整工程は、上記第２の対物レンズの外周部を押圧する３つの爪を有する板状治具を用いて、上記第２の対物レンズの傾斜を調整する工程である、
ことを特徴とする、請求項１から４までの何れか１項に記載の光ピックアップの製造方法。
【請求項６】
上記板状治具の上記３つの爪に囲まれた領域には、開口部が形成されている、
ことを特徴とする請求項５に記載の光ピックアップの製造方法。
【請求項７】
上記開口部は、三つ葉状に形成されており、上記３つの爪は、当該開口部の中心に向かって突出した、上記板状治具の突出部の先端に形成されている、
ことを特徴とする請求項６に記載の光ピックアップの製造方法。
【請求項８】
上記第２の傾斜調整工程は、上記第２の光源より出射された光ビームを上記第２の対物レンズにより集光することにより得られる集光スポットを顕微鏡によって観測し、該集光スポットにおけるコマ収差を最小化するよう、上記第２の対物レンズの傾斜を上記第２の対物レンズの外周部を押圧する３つの爪を有する板状治具を用いて調整する工程であり、
上記板状治具の厚みは、上記顕微鏡の観測用対物レンズと上記レンズ部の上記第２の対物レンズとの間の間隔よりも小さく形成されている、
ことを特徴とする請求項１に記載の光ピックアップの製造方法。
【請求項９】
上記第１の傾斜調整工程は、上記第１の光源より出射された光ビームを上記第１の対物レンズにより集光することにより得られる集光スポットを顕微鏡によって観測し、該集光スポットにおけるコマ収差を最小化するよう上記レンズ部の傾斜を調整する工程であり、
上記レンズ部を傾斜させる傾斜角は、上記レンズ部が上記顕微鏡の観測用対物レンズと干渉することがないよう制限されている、
ことを特徴とする請求項１に記載の光ピックアップの製造方法。
【請求項１０】
第１および第２の光源を備えた光源部と、上記光源の各々から出射された光ビームを集光する第１および第２の対物レンズを備えたレンズ部とを一体化して得られる光ピックアップの調整方法であって、
上記第１の光源より出射された光ビームが、上記レンズ部に固定された上記第１の対物レンズに垂直に入射するよう、上記光源部とは別体で傾斜可能に保持されている上記レンズ部の傾斜を調整する第１の傾斜調整工程と、
上記第１の傾斜調整工程の後、上記第２の光源より出射された光ビームが、上記レンズ部に傾斜可能に取り付けられている上記第２の対物レンズに垂直に入射するよう、上記第２の対物レンズの傾斜を調整する第２の傾斜調整工程と、を含んでいる、
ことを特徴とする、光ピックアップの調整方法。
【請求項１１】
第１および第２の光源を備えた光源部と、上記光源の各々から出射された光ビームを集光する第１および第２の対物レンズを備えたレンズ部とを一体化して得られる光ピックアップの製造装置であって、
上記光源部を保持する光源部保持機構と、
上記レンズ部を上記光源部とは別体で傾斜可能に保持するレンズ部保持機構であって、上記第１の光源より出射された光ビームが、上記レンズ部に固定された上記第１の対物レンズに入射し、かつ、上記第２の光源より出射された光ビームが、上記レンズ部に傾斜可能に取り付けられている上記第２の対物レンズに入射するよう、上記レンズ部を保持するレンズ部保持機構と、
上記第２の対物レンズの傾斜を調整する対物レンズ傾斜調整機構と、を備えている、
ことを特徴とする光ピックアップの製造装置。
【発明の詳細な説明】
【技術分野】
【０００１】
本発明は、２以上の光源と、これらの光源より出射された光ビームを集光する２以上の対物レンズとを備えた光ピックアップの製造方法、調整方法、および、製造装置に関する。
【背景技術】
【０００２】
規格が異なる光記録媒体に対応するために、波長が異なる光ビームを出射する２以上の光源と、これらの光源より出射された光ビームを集光する２以上の対物レンズとを備えた、２レンズ方式の光ピックアップが普及している（特許文献１、２参照）。このような光ピックアップにおいては、２以上の対物レンズの光軸調整を如何に行うかという点が、重要な技術的課題となっている。
【０００３】
特許文献２に記載の光ピックアップは、複数の対物レンズを挿設するための複数の取付孔を持ち、これらの取付孔のうち少なくとも何れか１つの載置面が曲面により形成されたレンズホルダを備えている。これにより、載置面が曲面である取付孔に挿設された対物レンズの傾斜調整が可能になる。
【０００４】
図８は、特許文献２に記載の組み立て装置の部分上面図であり、図９は同組み立て装置の部分断面図である。この組み立て装置によれば、レンズホルダ１０５０の取付孔に傾斜可能に挿設された、対物レンズ１０４１および１０４５の傾斜を調整することができる。対物レンズ１０４１の傾斜調整は、対物レンズ１０４１の外周面にて反射された反射光を観測しながら、対物レンズ１０４１を押圧するレンズ固定治具１２１０を回動することにより実現されている。対物レンズ１０４５の傾斜調整についても同様である。
【特許文献１】特開２００５−１７４４８５（２００５年６月３０日公開）
【特許文献２】特開２００６−１９００１（２００６年１月１９日公開）
【発明の開示】
【発明が解決しようとする課題】
【０００５】
しかしながら、特許文献２に記載の調整方法は、２つの対物レンズの光軸が互いに平行になるよう、各対物レンズの外周面により反射された反射光に基づいて、レンズホルダに取り付けられた各対物レンズの傾斜を調整するものである。このため、光ピックアップの光源、または、光源から出射された光ビームを対物レンズに導く光学系の少なくとも何れかに組み立て誤差があると、一方の光源から出射された光ビームを対物レンズに垂直に入射させることはできても、他方の光源から出射された光ビームを対物レンズに垂直に入射させることができない、という問題があった。
【０００６】
また、特許文献２に記載の調整方法によって各対物レンズの光軸方向を正確に調整するためには、その対物レンズの光軸とその対物レンズの外周面とが正確に直交していることが前提となる。ところが、実際の対物レンズには形状公差（幾何公差）があり、全ての対物レンズにおいて光軸と外周面とが正確に直交しているわけではない。このため、対物レンズの光軸方向を正確に調整することができないという問題があった。
【０００７】
本発明は、上記の課題に鑑みてなされたものであり、その目的は、各光源から出射された光ビームを対応する対物レンズに垂直に入射させることができる、光ピックアップの製造方法、調整方法、および、製造装置を実現することにある。
【課題を解決するための手段】
【０００８】
上記課題を解決するために、本発明に係る光ピックアップの製造方法は、第１および第２の光源を備えた光源部と、上記光源の各々から出射された光ビームを集光する第１および第２の対物レンズを備えたレンズ部とを一体化して得られる光ピックアップの製造方法であって、上記第１の光源より出射された光ビームが、上記レンズ部に固定された上記第１の対物レンズに垂直に入射するよう、上記光源部とは別体で傾斜可能に保持されている上記レンズ部の傾斜を調整する第１の傾斜調整工程と、上記第１の傾斜調整工程の後、上記第２の光源より出射された光ビームが、上記レンズ部に傾斜可能に取り付けられている上記第２の対物レンズに垂直に入射するよう、上記第２の対物レンズの傾斜を調整する第２の傾斜調整工程と、を含んでいる、ことを特徴としている。
【０００９】
上記の構成に拠れば、上記第１の光源より出射された光ビームが、上記レンズ部に固定された上記第１の対物レンズに垂直に入射し、かつ、上記第２の光源より出射された光ビームが、上記レンズ部に傾斜可能に取り付けられている上記第２の対物レンズに垂直に入射するよう、上記第２の対物レンズの傾斜を調整することができる。
【００１０】
しかも、上記第１および第２の傾斜調整工程において基準として参照される光ビームを出射する光源は、上記レンズ部と一体化される上記光源部が備えている光源である。したがって、上記光源部に組み立て誤差がある場合でも、上記第１および第２の傾斜調整工程によって上記第２のレンズ部の傾斜が調整されたレンズ部を上記光源に一体化して得られる光ピックアップにおいて、上記第１および第２の光源から出射された光ビームを上記第１および第２の対物レンズに垂直に入射させることができる、という効果を奏する。
【００１１】
本発明に係る光ピックアップの製造方法において、上記第１の傾斜調整工程は、上記第１の光源より出射された光ビームを上記第１の対物レンズにより集光することにより得られる集光スポットを観測し、該集光スポットにおけるコマ収差を最小化するよう上記レンズ部の傾斜を調整する工程である、ことが好ましい。
【００１２】
上記の構成に拠れば、上記第１の光源より出射された光ビームを上記第１の対物レンズにより集光することにより得られる集光スポットに基づいて上記レンズ部の傾斜を調整するので、上記第１の対物レンズの形状公差がある場合でも、上記第１の光源より出射された光ビームが、上記レンズ部に固定された上記第１の対物レンズに垂直に入射するよう、上記レンズ部の傾斜を精度良く調整することができる、という更なる効果を奏する。
【００１３】
本発明に係る光ピックアップの製造方法において、上記第２の傾斜調整工程は、上記第２の光源より出射された光ビームを上記第２の対物レンズにより集光することにより得られる集光スポットを観測し、該集光スポットにおけるコマ収差を最小化するよう上記第２の対物レンズの傾斜を調整する工程である、ことが好ましい。
【００１４】
上記の構成に拠れば、上記第２の光源より出射された光ビームを上記第２の対物レンズにより集光することにより得られる集光スポットに基づいて上記第２の対物レンズの傾斜を調整するので、上記第２の対物レンズの形状公差がある場合でも、上記第２の光源より出射された光ビームが、上記第２の対物レンズに垂直に入射するよう、上記レンズ部に取り付けられた上記第２の対物レンズの傾斜を精度良く調整することができる、という更なる効果を奏する。
【００１５】
なお、本発明に係る光ピックアップの製造方法において、上記第２の傾斜調整工程は、上記第２の対物レンズの外周面の傾斜をオートコリメータによって計測し、計測結果に応じて上記第２の対物レンズの傾斜を調整する工程であってもよい。
【００１６】
上記第２の対物レンズの形状公差が十分小さい場合には、上記構成に拠っても、上記第２の光源より出射された光ビームが、上記第２の対物レンズに垂直に入射するよう、上記レンズ部に取り付けられた上記第２の対物レンズの傾斜を調整することができる。また、顕微鏡などにより集光スポットを観測する構成と比べて、簡単かつ安価に光ピックアップを製造することが可能になる。
【００１７】
本発明に係る光ピックアップの製造方法において、上記第２の傾斜調整工程は、上記第２の対物レンズの外周部を押圧する３つの爪を有する板状治具を用いて、上記第２の対物レンズの傾斜を調整する工程である、ことが好ましい。
【００１８】
上記構成に拠れば、上記第２の対物レンズの外周部の３点を押圧することによって、上記レンズ部に傾斜可能に取り付けられた上記第２の対物レンズの傾斜を、自由に、かつ、スムーズに調整することができる。しかも、上記板状治具は、上記第２の対物レンズの外周部を押圧するので、上記第２の対物レンズのレンズ面を損傷することがない。
【００１９】
本発明に係る光ピックアップの製造方法において、上記板状治具の上記３つの爪に囲まれた領域には、開口部が形成されている、ことが好ましい。
【００２０】
上記の構成に拠れば、上記光源部の上記第２の光源より出射され、上記レンズ部の上記第２の対物レンズにより集光された光ビームは、上記開口部を通って上記板状治具を透過する。したがって、上記光源部の上記第２の光源より出射され、上記レンズ部の上記第２の対物レンズにより集光された光ビームを顕微鏡などにより観測しながら、上記第２の対物レンズの傾斜を調整することができる、という更なる効果を奏する。
【００２１】
本発明に係る光ピックアップの製造方法において、上記開口部は、三つ葉状に形成されており、上記３つの爪は、当該開口部の中心に向かって突出した、上記板状治具の突出部の先端に形成されている、ことが好ましい。
【００２２】
上記構成に拠れば、三つ葉状に形成された上記開口部の各葉に相当する部分から、上記第２の対物レンズの周囲に設けられた接着剤溜りに接着剤を注入するためのニードルを挿入したり、接着剤溜りに注入された接着剤に紫外線を照射したりすることができるという更なる効果を奏する。
【００２３】
本発明に係る光ピックアップの製造方法において、上記第２の傾斜調整工程は、上記第２の光源より出射された光ビームを上記第２の対物レンズにより集光することにより得られる集光スポットを顕微鏡によって観測し、該集光スポットにおけるコマ収差を最小化するよう、上記第２の対物レンズの傾斜を上記第２の対物レンズの外周部を押圧する３つの爪を有する板状治具を用いて調整する工程であり、上記板状治具の厚みは、上記顕微鏡の観測用対物レンズと上記レンズ部の上記第２対物レンズとの間の間隔よりも小さく形成されている、ことが好ましい。
【００２４】
上記構成に拠れば、上記顕微鏡の観測用対物レンズや、上記第２の対物レンズの破損を未然に防止することができる、という更なる効果を奏する。
【００２５】
本発明に係る光ピックアップの製造方法において、上記第１の傾斜調整工程は、上記第１の光源より出射された光ビームを上記第１の対物レンズにより集光することにより得られる集光スポットを顕微鏡によって観測し、該集光スポットにおけるコマ収差を最小化するよう上記レンズ部の傾斜を調整する工程であり、上記第１の傾斜調整工程において上記レンズ部を傾斜させる傾斜角は、上記レンズ部が上記顕微鏡の観測用対物レンズと干渉することがないよう制限されている、ことが好ましい。
【００２６】
上記構成に拠れば、上記顕微鏡の観測用対物レンズや、上記第１の対物レンズの破損を未然に防止することができる、という更なる効果を奏する。
【００２７】
上記課題を解決するために、本発明に係る光ピックアップの調整方法は、第１および第２の光源を備えた光源部と、上記光源の各々から出射された光ビームを集光する第１および第２の対物レンズを備えたレンズ部とを一体化して得られる光ピックアップの調整方法であって、
上記第１の光源より出射された光ビームが、上記レンズ部に固定された上記第１の対物レンズに垂直に入射するよう、上記光源部とは別体で傾斜可能に保持されている上記レンズ部の傾斜を調整する第１の傾斜調整工程と、
上記第１の傾斜調整工程の後、上記第２の光源より出射された光ビームが、上記レンズ部に傾斜可能に取り付けられている上記第２の対物レンズに垂直に入射するよう、上記第２の対物レンズの傾斜を調整する第２の傾斜調整工程と、を含んでいる、
ことを特徴としている。
【００２８】
上記の構成に拠れば、上記第１の光源より出射された光ビームが、上記レンズ部に固定された上記第１の対物レンズに垂直に入射し、かつ、上記第２の光源より出射された光ビームが、上記レンズ部に傾斜可能に取り付けられている上記第２の対物レンズに垂直に入射するよう、上記レンズ部に取り付けられている上記第２の対物レンズの傾斜を調整することができる。
【００２９】
しかも、上記第１および第２の傾斜調整工程において参照される光ビームを出射する上記第１および第２の光源は、上記レンズ部と一体化される上記光源部が備えている光源である。したがって、上記光源部に組み立て誤差がある場合でも、上記第１および第２の傾斜調整工程によって上記第２のレンズ部の傾斜が調整されたレンズ部を上記光源に一体化することにより得られるピックアップにおいて、上記第１および第２の光源から出射された光ビームが上記第１および第２の対物レンズに垂直に入射するよう、上記第２の対物レンズの傾斜を調整することができる、という効果を奏する。
【００３０】
上記課題を解決するために、本発明に係る光ピックアップの製造装置は、第１および第２の光源を備えた光源部と、上記光源の各々から出射された光ビームを集光する第１および第２の対物レンズを備えたレンズ部とを一体化して得られる光ピックアップの製造装置であって、上記光源部を保持する光源部保持機構と、上記レンズ部を上記光源部とは別体で傾斜可能に保持するレンズ部保持機構であって、上記第１の光源より出射された光ビームが、上記レンズ部に固定された上記第１の対物レンズに入射し、かつ、上記第２の光源より出射された光ビームが、上記レンズ部に傾斜可能に取り付けられている上記第２の対物レンズに入射するよう、上記レンズ部を保持するレンズ部保持機構と、上記第２の対物レンズの傾斜を調整する対物レンズ傾斜調整機構と、を備えている、ことを特徴としている。
【００３１】
上記構成に拠れば、上記レンズ部保持機構を用いて、上記第１の光源より出射された光ビームが、上記レンズ部に固定された上記第１の対物レンズに垂直に入射するよう、上記レンズ部の傾斜を調整することができる。また、上記対物レンズ傾斜調整機構を用いて、上記第２の光源より出射された光ビームが、上記レンズ部に傾斜可能に取り付けられている上記第２の対物レンズに垂直に入射するよう、上記第２の対物レンズの傾斜を調整することができる。
【００３２】
したがって、上記第１の光源より出射された光ビームが、上記レンズ部に固定された上記第１の対物レンズに垂直に入射し、かつ、上記第２の光源より出射された光ビームが、上記レンズ部に傾斜可能に取り付けられている上記第２の対物レンズに垂直に入射するよう、上記第２の対物レンズの傾斜を調整することができる。
【００３３】
しかも、上記第１および第２の傾斜調整工程において参照される光ビームを出射する上記第１および第２の光源は、上記レンズ部と一体化される上記光源部が備えている光源である。したがって、上記光源部に組み立て誤差がある場合でも、上記のように上記第２のレンズ部の傾斜が調整されたレンズ部を上記光源に一体化することにより、上記第１および第２の光源から出射された光ビームが上記第１および第２の対物レンズに垂直に入射するよう、上記第２の対物レンズの傾斜を調整するこができる、という効果を奏する。
【発明の効果】
【００３４】
本発明は、第１および第２の光源を備えた光源部と、上記光源の各々から出射された光ビームを集光する第１および第２の対物レンズを備えたレンズ部とを一体化して得られる光ピックアップの製造方法または調整方法であって、上記第１の光源より出射された光ビームが、上記レンズ部に固定された上記第１の対物レンズに垂直に入射するよう、上記光源部とは別体で傾斜可能に保持されている上記レンズ部の傾斜を調整する第１の傾斜調整工程と、上記第１の傾斜調整工程の後、上記第２の光源より出射された光ビームが、上記レンズ部に傾斜可能に取り付けられている上記第２の対物レンズに垂直に入射するよう、上記第２の対物レンズの傾斜を調整する第２の傾斜調整工程と、を含んでいる。
【００３５】
したがって、上記光源部に組み立て誤差がある場合でも、上記第１および第２の光源から出射された光ビームが上記第１および第２の対物レンズに垂直に入射する光ピックアップを製造したり、上記第１および第２の光源から出射された光ビームが上記第１および第２の対物レンズに垂直に入射するよう光ピックアップを調整したりすることができる。
【発明を実施するための最良の形態】
【００３６】
本発明の一実施形態について、図面に基づいて説明すれば以下のとおりである。
【００３７】
なお、本実施形態に係る製造装置および製造方法により製造される光ピックアップ３００は、第１光源３１１および第２光源３１２を備えた光源部３１０と、第１対物レンズ３２１および第２対物レンズ３２２を備えたレンズ部３２０とを一体化することにより得られる光ピックアップである。光源部３１０とレンズ部３２０とは、互いに対となって光ピックアップ３００を構成するものであるが、本実施形態に係る製造装置および製造方法においては、一体化される前の光源部３１０とレンズ部３２０とを別個に取り扱って、レンズ部３２０の調整を行う。
【００３８】
まず、光ピックアップ３００を製造するために用いる製造装置１００について、図２から図７までに基づいて説明する。
【００３９】
図２は、製造装置１００の全体構成を示す正面図である。
【００４０】
製造装置１００は、図２に示したように、概略的に言えば、２波長スポット顕微鏡１１０と、レンズ部保持機構１２０と、傾斜ステージ１３０と、対物レンズ傾斜調整機構１４０と、光源部保持機構１５０と、ＸＹステージ１６０と、自動Ｚステージ１７０と、スライドテーブルユニット１８０と、装置ベース１９０と、オートコリメーター２００とを含んで構成されている。
【００４１】
図２に示したように、装置ベース１９０上には、２波長スポット顕微鏡１１０と、オートコリメーター２００と、スライドテーブルユニット１８０とが設置されている。スライドテーブルユニット１８０は、水平方向（図示したＸ軸方向およびＹ軸方向）に可動なスライドテーブル１８１と、そのスライドテーブル１８１を駆動するスライドテーブル駆動モータ１８２とを備えており、スライドテーブル１８１上に設置された、レンズ部保持機構１２０、傾斜ステージ１３０、対物レンズ傾斜調整機構１４０、光源部保持機構１５０、ＸＹステージ１６０、および、自動Ｚステージ１７０を、水平方向に移動することができる。
【００４２】
自動Ｚステージ１６０は、該ステージ上に設置された、レンズ部保持機構１２０、傾斜ステージ１３０、対物レンズ傾斜調整機構１４０、光源部保持機構１５０、および、ＸＹステージ１６０を、鉛直方向（図示したＺ軸方向）に微動するための機構であり、こられらを保持する高さを自動的に微調整することができる。また、ＸＹステージ１６０は、該ステージ上に設置された、レンズ部保持機構１２０、傾斜ステージ１３０、対物レンズ傾斜調整機構１４０、および、光源部保持機構１５０を水平方向（図示したＸ軸方向およびＹ軸方向）に微動するための機構であり、製造装置１００の操作者は、これらを保持する位置を微調整することができる。
【００４３】
光源部保持機構１５０は、光ピックアップ３００の光源部３１０を保持するための機構である。図２に示したように、光源部保持機構１５０は、ＸＹステージ１６０上に直接固定されており、光源部３１０の保持位置および傾斜は、ＸＹステージ１６０に対して一定に保たれる。
【００４４】
一方、レンズ部保持機構１２０は、光ピックアップ３００のレンズ部３２０を保持するための機構である。レンズ部保持機構１２０は、傾斜ステージ１３０を介してＸＹステージ１６０に取り付けられている。傾斜ステージ１３０は、Ｘ軸に平行な回転軸とＹ軸に平行な回転軸とを有する２軸傾斜ステージであり、該ステージ上に固定されたレンズ保持機構１２０を、任意の方向に任意の角度傾斜させることができる。これらの構成により、製造装置１００の操作者は、レンズ部保持機構１２０により保持されたレンズ部３２０の傾斜を、自由に調整することができる。
【００４５】
対物レンズ傾斜調整機構１４０は、レンズ部３２０に傾斜可能に取り付けられている第２対物レンズ３２２の傾斜を調整するための機構であり、第２対物レンズ３２２を上部から押圧する対物レンズ押え１４１と、対物レンズ押え１４１を操作するための対物レンズ押え操作部１４２とからなる。製造装置１００の操作者は、対物レンズ押え操作部１４２を操作することにより、レンズ部３２０に取り付けられている第２対物レンズの傾斜を自由に調整することができる。
【００４６】
２波長スポット顕微鏡１１０は、光源部３１０の第１光源３１１から出射された光ビームを、レンズ部３２０の第１対物レンズ３２１により集光することによって得られた第１の集光スポット、および、光源部３１０の第２光源３１２から出射された光ビームを、レンズ部３２０の第２対物レンズ３２２によって集光することにより得られた第２の集光スポットを観測するための顕微鏡である。２波長スポット顕微鏡１１０は、上記第１の集光スポットを観測するための観測用対物レンズ１１１と、上記第２の集光スポットを観測するための観測用対物レンズ１１２とを備えている。また、２波長スポット顕微鏡１１０は、不図示のモニタに接続されており、上記第１および第２の集光スポット像を、このモニタより可視的に出力する。操作者は、モニタに映し出された集光スポットを観測しながら、操作装置１００を操作することができる。
【００４７】
図３は、レンズ部保持機構１２０周辺の構成を示す、製造装置１００の部分切欠き断面図である。
【００４８】
図３に示したように、レンズ部保持機構１２０は、脚部１２１を介して傾斜ステージ１３０に固定されたアクチュエータ受け台１２２と、支柱１２３を介して傾斜ステージ１３０に取り付けられた、アクチュエータ受け台１２２と連動して傾斜する板状の治具であるレンズホルダ押え１２４とを含んで構成されている。アクチュエータ受け台１２２は、レンズ部３２０のアクチュエータ３２５（図４参照）を下面から保持し、レンズホルダ押え１２４は、レンズ部３２０のレンズホルダ３２３（図４参照）を側面から保持する。なお、傾斜ステージ１３０の傾斜角は、レンズホルダ押え１２４が２波長顕微鏡１１０の観測用対物レンズ１１１と干渉することがないよう制限されている。
【００４９】
レンズ部３２０が保持される位置は、光源部保持機構１５０により保持された光源部３１０の真上である。より正確に言うと、第１光源３１１から出射された光ビームを鉛直方向（図示したＹ軸方向）に立ち上げる立上ミラー３１４の真上に第１対物レンズ３２１が位置し、かつ、第２光源３１２から出射された光ビームを鉛直方向に立ち上げる立上ミラー３１５の真上に第２対物レンズ３２２が位置するよう、レンズ部３２０を保持する位置が決められている。
【００５０】
図４は、レンズ部受け台１２２上に据え置かれたレンズ部３２０の構成を示す断面図である。
【００５１】
図４に示したように、レンズ部３２０は、アクチュエータ３２５と、ワイヤ３２４を介してアクチュエータ３２５に取り付けられたレンズホルダ３２３と、レンズホルダ３２３に接着固定された第１対物レンズ３２１と、レンズホルダ３２３に傾斜可能に取り付けられた第２対物レンズ３２２とからなる。
【００５２】
レンズホルダ３２３には、第１対物レンズ３２１を取り付けるための取付孔３２３ａと、第２対物レンズ３２２を取り付けるための取付孔３２３ｂとが形成されている。第２対物レンズ３２２を取り付けるための取付孔３２３ｂは、図４に示したように、側面が円錐面をなすよう形成されており、第２対物レンズ３２２の外周部３２２ａの角が取付孔３２３ｂの側面と線接触するようになっている。このため、取付孔３２３ｂに嵌め込まれた第２対物レンズ３２２は、取付孔３２３ｂの円錐面（側面）からの垂線と該円錐面の中心軸の交わる点Ｏを中心にして、取付孔３２３ｂに傾斜可能に取り付けられる。なお、レンズホルダ３２３には、取付孔３２３ｂの周囲三方に、接着材を充填するための接着剤溜り３２３ｅが設けられている。
【００５３】
図５は、対物レンズ押え１４１周辺の構成を示す、製造装置１００の部分切欠き断面図である。図６は、対物レンズ押え１４１周辺の構成を示す、製造装置１００の上面図である。図７は、対物レンズ押え１４１の先端周辺の構成を示す、製造装置１００の部分断面図である。
【００５４】
対物レンズ押え１４１は、概ね長方形の板上に形成されており、一端が対物レンズ押え操作部１４１に結合されるとともに、図５に示したように、他端がレンズ部３２０上に延伸している。そして、対物レンズ押え１４１のレンズ部３２０側の端部には、図６に示したように、３つの円形開口部を合併させた三つ葉状開口部１４１ａが形成されている。この三つ葉状開口部１４１ａは、その中心がちょうど第２対物レンズ３２２の真上に配置され、第２対物レンズ３２２により集光された光ビームが、対物レンズ押え１４１により遮蔽されることなく、観測用対物レンズ１１２に入射するようになっている。
【００５５】
また、図５に示したように、三つ葉状開口部１４１ａの括れ、すなわち、三つ葉状開口部１４１ａの中心に向かって突出した３つの突出部は、第２対物レンズ３２２の外周部に達している。そして、各突出部の先端下面には、図７に示したように、対物レンズ３２２の外周部３２２ａを押圧する爪１４１ｃが形成されている。このため、対物レンズ押え１４１の傾斜と連動して、第２対物レンズ３２２の傾斜を自由に調整することができる。
【００５６】
さらに、図５に示したように、三つ葉状開口部１４１ａの各葉に相当する部分が、対物レンズ３２２の周囲に形成された接着剤溜り３２３ｅの真上に配置されている。このため、接着剤溜り３２３ｅに接着剤を注入するためのニードルを、対物レンズ押え１４１の上部から接着剤溜り３２３ｅに挿し込んだり、注入した接着剤を硬化させるための紫外線を、対物レンズ押え１４１の上部から照射したりすることができる。
【００５７】
次に、製造装置１００を用いた、光ピックアップ３００を製造方法Ｓ１００について、図１に基づいて説明する。
【００５８】
図１は、製造方法Ｓ１００の概略的な流れを示した概略流れ図である。
【００５９】
製造方法Ｓ１００は、図１に示すように、レンズ部３２０の傾斜を調整する工程Ｓ１１０と、第２対物レンズ３２２の傾斜を調整する工程Ｓ１２０と、第２対物レンズ３２２を固定する工程Ｓ１３０と、光源部３１０とレンズ部３２０とを一体化する工程Ｓ１４０とを含む。
【００６０】
レンズ部３２０の傾斜を調整する工程Ｓ１１０は、光源部３１０に固定された第１光源３１１より出射された光ビームが、レンズ部３２０に固定されている第１対物レンズ３２２１に垂直に入射するよう、光源部３１０とは別体で傾斜可能に保持されているレンズ部３２０の傾斜を調整する工程である。
【００６１】
より具体的には、まず、スライドテーブル１８１を水平移動することによって、レンズ部３２０の第１対物レンズ３２１を、２波長スポット顕微鏡１１０の観測用対物レンズ１１１の直下に配置する（図３参照）。この段階で、第１対物レンズ３２１は、位置決めされた状態でレンズホルダ３２３に固定（接着固定）されている。一方、第２の対物レンズ３２２は、レンズホルダ３２３に傾斜可能に取り付け（未接着状態で仮止め）されている（図４参照）。
【００６２】
次に、光源部３１０に固定されている第１光源３１１を点灯し、光ビームの照射を開始する。そして、２波長スポット顕微鏡１１０よって、第１光源３１１から出射された光ビームを第１対物レンズ３２１により集光して得られる集光スポットを観測することができるよう、ＸＹステージ１６０、および、自動Ｚステージ１７０を微動する。
【００６３】
最後に、製造装置１００の操作者は、２波長スポット顕微鏡１１０により撮像され、モニターに映し出された集光スポットを観測しながら、０次光の周囲に見られる１次光のコマ収差を最小化するよう（理想的には０になるよう）、傾斜ステージ１３０を操作してレンズ部３２０の傾斜を調整する。
【００６４】
これにより、光源部３１０に固定された第１光源３１１より出射された光ビームが、レンズ部３２０に固定されている第１対物レンズ３２２１に垂直に入射するよう、レンズ部３２０の傾斜が調整される。
【００６５】
第２対物レンズ３２０の傾斜を調整する工程Ｓ１２０は、光源部３１０に固定された第２光源３１２より出射された光ビームが、レンズ部３２０に傾斜可能に取り付けられている第２対物レンズ３２２に垂直に入射するよう、第２対物レンズ３２２の傾斜を調整する工程である。
【００６６】
より具体的には、まず、スライドテーブル１８１を再度水平移動することによって、レンズ部３２０の第２対物レンズ３２２を、２波長スポット顕微鏡１１０の観測用対物レンズ１１２の直下に配置する（図５参照）。
【００６７】
次に、光源部３１０に固定されている第２光源３１２を点灯し、光ビームの照射を開始する。そして、２波長スポット顕微鏡１１０よって、第２光源３１２から出射された光ビームを第２対物レンズ３２２により集光して得られる集光スポットを観測することができるよう、ＸＹステージ１６０、および、自動Ｚステージ１７０を微動する。
【００６８】
最後に、製造装置１００の操作者は、２波長スポット顕微鏡１１０により撮像され、モニターに映し出された集光スポットを観測しながら、０次光の周囲に見られる１次光のコマ収差を最小化するよう（理想的には０になるよう）、対物レンズ傾斜調整機構１４０を操作して、第２対物レンズ３２２の傾斜を調整する。
【００６９】
これにより、光源部３１０に固定された第２光源３１２より出射された光ビームが、レンズ部３２０に傾斜可能に取り付けられている第２対物レンズ３２２に垂直に入射するよう、第２対物レンズ３２２の傾斜が調整される。
【００７０】
第２対物レンズ３２２を固定する工程Ｓ１３０は、第２対物レンズ３２２を傾斜調整がなされた状態でレンズ部３２０に固定する工程である。
【００７１】
具体的には、まず、スライドテーブル１８１を再度水平移動することによって、レンズ部３２０をオートコリメーター２００の下に移動する。そして、対物レンズ押え１４１の三つ葉状開口部１４１ａの各葉に相当する部分よりニードルを挿入し、レンズホルダ３２３の接着剤溜り３２３ｅに接着剤を注入する。さらに、紫外線を照射することにより、接着剤溜り３２３ｅに注入した接着剤を硬化させ、第２対物レンズ３２２をレンズホルダ３２３に接着固定する。
【００７２】
第２対物レンズ３２２の固定完了後、対物レンズ押え１４１、および、レンズホルダ押え１２４を解除することにより、レンズ部３２０を製造装置１００から取り出す。また、光源部受け台を直動ガイドに沿って移動することにより、光源部３１０を製造装置１００から取り出す。そして、調整済みのレンズ部３２０と、調整時に光源として利用された光源部３１０とは、工程Ｓ１４０において一体化される。
【００７３】
すなわち、工程Ｓ１１０、Ｓ１２０、およびＳ１３０において調整されたレンズ部３２０と、工程Ｓ１１０、およびＳ１２０にて光源として利用された光源部３１０とは、完成した光ピックアップ３００を構成する互いに対となるレンズ部と光源部とである。
【００７４】
なお、第２対物レンズ３２２の形状公差が十分小さい場合、工程Ｓ１２０において、２波長スポット顕微鏡１１０よって集光スポットを観察する代わりに、第２対物レンズ３２２の外周面にて反射された反射光をオートコリメータ２００によって検出することによって、対物レンズ３２２の傾斜を計測し、その計測結果に応じて上記第２の対物レンズの傾斜を調整するようにしてもよい。
【００７５】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７６】
例えば、本発明は、以下のように表現することもできる。
【００７７】
１．光ピックアップの光学部品組立完了品に組立するアックチュエータを一定の間隔に保持した状態で、光ピックアップのレーザー光源Iから出射光が対物レンズボルダに接着固定された一方の対物レンズを通り集光したスポットを顕微鏡で観測して、コマ収差が０になるように対物レンズホルダの傾き調整することで、対物レンズの光軸調整を行う。次に、レーザー光源IIを点燈させ、他方の対物レンズを通り集光したスポットを顕微鏡で観測して、コマ収差が０になるように対物レンズを直接傾き調整ができる、二つの対物レンズの光軸傾き調整機構を有したことを特長とする対物レンズの傾き調整方法である。
【００７８】
２．１に記載した光ピックアップと光軸傾き調整するアクチュエータとは、対で調整することにより、光ピックアップの光学部品の組立誤差による二つの立上げ光軸角度ズレを二つの対物レンズのコマ収差を調整することにより精度よく傾き調整できる構造になっている。
【００７９】
３．１に記載した対物レンズホルダは一方の対物レンズが対物レンズのコバ面の外周を受けるため、円錐面形状にて、直接対物レンズを対物レンズII調整押えで傾き調整できる機構になっており、簡単構造でコストダウンが図れる。
【００８０】
４．１に記載した対物レンズ傾き調整方法において、対物レンズの傾き調整で一方の対物レンズはコマ収差を見て、光軸調整を行い、他方はコバ面の傾き調整で二つの対物レンズの光軸を傾き調整することにより、作業時間の短縮を図る方法もできる。
【００８１】
５．１に記載した対物レンズ傾き調整保持機構を用いた光ピックアップの対物レンズ傾き調整方法において、対物レンズII調整押えは先端に形成した３箇の爪で対物レンズのコバ面を押え、対物レンズが水平な状態の時、コバ面の外周と接する、レンズホルダの円錐面からの垂直線と円錐面の中心軸の交わる点を中心に傾き調整を行うことによりスムーズな動作が可能になる。
【００８２】
６．１に記載した対物レンズ傾き調整保持機構を用いた光ピックアップの対物レンズ傾き調整方法において、対物レンズII調整押えは先端に形成した３箇の爪で対物レンズのコバ面を押えると共に、対物レンズから出射した光束を妨げないよう逃げを設けている。
【００８３】
７．１に記載した対物レンズ傾き調整保持機構を用いた光ピックアップの対物レンズ傾き調整方法において、対物レンズII調整押えは先端に形成した３箇の爪で対物レンズのコバ面をガタなく押えると共に、対物レンズホルダに形成した３箇所の接着溜りに接着剤吐付用のニードルが入りかつ、ＵＶ照射光が十分はいる逃げ穴が開けてあり、調整後の対物レンズを保持した状態で固定できる。
【００８４】
８．１に記載した対物レンズ傾き調整保持機構を用いた光ピックアップの対物レンズ傾き調整方法において、対物レンズII調整押えの厚さは、対物レンズのコバ面と観測用対物レンズの先端に構成されている、カバーガラスとでなす間隔より薄くなっている。
【００８５】
９．１に記載した対物レンズ傾き調整保持機構を用いた光ピックアップの対物レンズ傾き調整方法において、対物レンズホルダ押えの上面は二つの対物レンズの上端より高くならないようになっている。これはＮＡ（対物レンズ開口数）の大きい対物レンズの傾き調整をするとき、アクチュエータと、観測用対物レンズの一部が接触して、コマ収差を０に出来ないことがないようにするためである。
【００８６】
１０．１に記載した対物レンズ傾き調整保持機構を用いた光ピックアップの対物レンズ傾き調整方法において、光ピックアップのアクチュエータ対物レンズホルダの構造が簡単になり、光ピックアップ装置の生産においても、品質の良い製品が造れる。
【産業上の利用可能性】
【００８７】
本発明は、２以上の光源と、これらの光源より出射された光ビームを集光する２以上の対物レンズとを備えた光ピックアップの製造に好適に利用することができる。
【図面の簡単な説明】
【００８８】
【図１】本発明の実施形態を示すものであり、光ピックアップの製造方の概略的な流れを示した概略流れ図である。
【図２】本発明の実施形態を示すものであり、光ピックアップの製造装置の全体構成を示す正面図である。
【図３】本発明の実施形態を示すものであり、図２に示した製造装置のレンズ部保持機構周辺の構成を示す、部分切欠き断面図である。
【図４】本発明の実施形態を示すものであり、光ピックアップのレンズ部の構成を示す断面図である。
【図５】本発明の実施形態を示すものであり、図２に示した製造装置の対物レンズ押え周辺の構成を示す部分切欠き断面図である。
【図６】本発明の実施形態を示すものであり、図２に示した製造装置の対物レンズ押え周辺の構成を示す上面図である。
【図７】本発明の実施形態を示すものであり、図２に示した製造装置の対物レンズ押えの先端周辺の構成を示す部分断面図である。
【図８】従来技術を示すものであり、組み立て装置の部分上面図である。
【図９】従来技術を示すものであり、図８に示した組み立て装置の部分断面図である。
【符号の説明】
【００８９】
１００        製造装置
１１０            ２波長スポット顕微鏡
１１１                観測用対物レンズ
１１２                観測用対物レンズ
１２０            レンズ部保持機構１２０
１２１                脚部
１２２                アクチュエータ受け台
１２３                支柱
１２４                レンズホルダ押え（板状治具）
１３０            傾斜ステージ
１４０            対物レンズ傾斜調整機構
１４１                対物レンズ押え（板状治具）
１４１ａ                  三つ葉状開口部
１４１ｃ                  爪
１４２                対物レンズ押え操作部
１５０            光源部保持機構
１６０            ＸＹステージ
１７０            自動Ｚステージ
１８０            スライドテーブルユニット
１８１                スライドテーブル
１８２                スライドテーブル駆動モータ
１９０            装置ベース
２００            オートコリメーター
３００        光ピックアップ
３１０            光源部
３１１                第１光源
３１２                第２光源
３２０            レンズ部
３２１                第１対物レンズ
３２２                第２対物レンズ
３２３                レンズホルダ
３２３ａ、ｂ              取付孔
３２３ｅ                  接着剤溜り
３２４                ワイア
３２５                アクチュエータ
【図１】
2009037677.tif 000003
【図２】
2009037677.tif 000004
【図３】
2009037677.tif 000005
【図４】
2009037677.tif 000006
【図５】
2009037677.tif 000007
【図６】
2009037677.tif 000008
【図７】
2009037677.tif 000009
【図８】
2009037677.tif 000010
【図９】
2009037677.tif 000011